(57)【要約】【課題】周囲温度の変化に対して、適切な駆動電圧を設定し、有機発光素子を駆動する。【解決手段】表示装置１００は、表示回路１０と制御回路５０とから構成され、制御回路５０は、走査電極である陰極を駆動する駆動部３０およびデータ電極である陽極を駆動する駆動部４０を制御する制御部５１を備えた。制御部５１は、走査電極を順次走査し、データ電極を選択して、所定の発光素子を点灯させる。制御部５１は、表示装置の周囲温度の変化に対して、有機発光素子に定電流を供給できるように、データ電極を駆動する。【選択図】　　　　図２
2004102077.tif 000002
【特許請求の範囲】
【請求項１】
走査電極である互いに平行なｍ本の第１組の電極と、該第１組の電極と交差して配置された互いに平行なｎ本の第２組の電極と（ｍ，ｎは整数）、前記第１組の電極と前記第２組の電極との交差位置の各々に配置され、各々の電極に接続された有機発光素子とを有する表示装置において、
前記第１組の電極を順次走査し、前記第２組の電極を選択して、所定の有機発光素子を点灯させる制御手段を備え、
該制御手段は、前記表示装置の周囲温度の変化に対して、前記有機発光素子に定電流を供給できるように、前記第２組の電極を駆動することを特徴とする表示装置。
【請求項２】
前記周囲温度を検出する検出手段と、
前記有機発光素子に定電流を供給する定電流源の電源電圧値と、前記周囲温度とを対応付けて記憶する記憶手段とを備え、
前記制御手段は、前記検出手段で検出した周囲温度に応じて、前記記憶手段に格納された前記電源電圧値を読み出して、前記第２組の電極を駆動することを特徴とする請求項１に記載の表示装置。
【請求項３】
前記検出手段は、前記有機発光素子が形成された基板上に配置された複数の温度検出素子と、該温度検出素子で検出された検出値の平均を算出する演算器とを含むことを特徴とする請求項２に記載の表示装置。
【請求項４】
走査電極である互いに平行なｍ本の第１組の電極と、該第１組の電極と交差して配置された互いに平行なｎ本の第２組の電極と（ｍ，ｎは整数）、前記第１組の電極と前記第２組の電極との交差位置の各々に配置され、各々の電極に接続された有機発光素子とを有する表示装置の駆動方法において、
前記表示装置の周囲温度を検出する検出ステップと、
該検出手段で検出した周囲温度に応じて、前記有機発光素子に定電流を供給する定電流源の電源電圧値と周囲温度とを対応付けて記憶する記憶部から、前記電源電圧値を読み出す読出ステップと、
前記第１組の電極を順次走査し、前記第２組の電極を選択して、前記読出ステップで読み出した前記電源電圧値により、所定の前記有機発光素子に定電流を供給して点灯させる駆動ステップと
を備えたことを特徴とする表示装置の駆動方法。
【発明の詳細な説明】
【０００１】
【発明の属する技術分野】
本発明は、表示装置およびその駆動方法に関し、より詳細には、有機発光素子を用いたパッシブマトリクス型ディスプレイである表示装置およびその駆動方法に関する。
【０００２】
【従来の技術】
近年、液晶ディスプレイに替わるフラットパネルディスプレイとして、有機ＥＬ（Ｅｌｅｃｔｒｏ　Ｌｕｍｉｎｅｓｃｅｎｃｅ）素子を画素部に用いた有機ＥＬディスプレイが注目を集めている。有機ＥＬディスプレイは、自己発光型素子であるため視認性が高く、低電圧で駆動できるという特徴を有し、実用化の研究が積極的になされている。有機ＥＬ素子は、電場を加えることにより発光する有機化合物を含む有機層と、有機層を挟持する陽極と陰極とを有する。有機化合物には、一重項励起による蛍光と、三重項励起による燐光とを利用するものがある。
【０００３】
有機ＥＬディスプレイの各画素部を駆動する駆動方法として、液晶ディスプレイと同様に、パッシブマトリクス型およびアクティブマトリクス型が知られている。パッシブマトリクス型は、構造が単純であることから、低コストであり、歩留まりが高いなどの利点がある。
【０００４】
パッシブマトリクス型ディスプレイは、透明基板上の複数の陽極と、陽極に交差する複数の陰極と、陽極と陰極とに挟持された有機層とから構成されている。陽極と陰極の交差領域の発光素子を１単位として１画素部を形成し、この画素部が複数個配列されて表示部が形成される。陽極および陰極を表示部から透明基板の周囲に延長し、接続部を形成する。この接続部を介して、駆動部と表示部とを接続することにより、表示回路が構成される。外部から入力された画像信号を変換し、駆動部を制御する制御回路と表示回路とを接続して表示装置が構成されている。
【０００５】
陰極は、走査電極であり、選択時は接地電位、非選択時は電源電位である。陽極は、データ電極であり、選択時には定電流源に接続され、非選択時には接地電位となっている。制御回路は、駆動部を制御して、走査電極を１ラインごとに順次選択し、選択されたライン上の画素をデータ電極で選択して、発光素子を点灯する。このようにして、順次走査によって走査電極ごとに点灯を行い、これを画像信号の１フレーム分に渡って重ね合わせることにより画像を表示する。走査電極およびデータ電極がともに非選択時には、発光素子は逆バイアスがかけられ、点灯時には順バイアスとなる。また、電極の選択状態によって、発光素子はゼロ・バイアスとなる場合もある。
【０００６】
有機発光素子は、長期間使用することで性能が劣化し、順方向の降下電圧が増大する。順方向降下電圧が増大すると、必要な輝度を得ることができないことから、有機発光素子の劣化がない初期状態において、予め駆動電圧を高く設定することが行われている。しかし、予め駆動電圧を高く設定していると、消費電力が増大するので、例えば、有機発光素子の降下電圧を測定して、測定された降下電圧に応じて、駆動電圧を設定することが行われている（例えば、特許文献１参照）。
【０００７】
【特許文献１】
特開平７−３６４０９号公報（段落番号００２９、第５，８図）
【０００８】
【発明が解決しようとする課題】
しかしながら、有機発光素子は、上述した経年劣化のみならず、温度によっても順方向の降下電圧が変化する。また、有機ＥＬディスプレイなど同一のガラス基板上に形成された有機発光素子であっても、個々の有機発光素子の温度特性のばらつきが大きい。さらに、縦型のディスプレイを構成すると、表示部の下部と上部とで有機発光素子の温度が異なり、結果として有機発光素子ごとに降下電圧が異なる場合もある。
【０００９】
従って、上述した特許文献１に記載された方法のように、特定の有機発光素子の降下電圧を測定して、駆動電圧を設定するのみでは、温度変化に対する駆動電圧の設定を精度よくできず、有機発光素子ごとのばらつきから表示画質の劣化を招くという問題があった。
【００１０】
本発明は、このような問題に鑑みてなされたもので、その目的とするところは、周囲温度の変化に対して、適切な駆動電圧を設定し、表示画質を維持しながら消費電力を低減することができる表示装置およびその駆動方法を提供することにある。
【００１１】
【課題を解決するための手段】
本発明は、このような目的を達成するために、請求項１に記載の発明は、走査電極である互いに平行なｍ本の第１組の電極と、該第１組の電極と交差して配置された互いに平行なｎ本の第２組の電極と（ｍ，ｎは整数）、前記第１組の電極と前記第２組の電極との交差位置の各々に配置され、各々の電極に接続された有機発光素子とを有する表示装置において、前記第１組の電極を順次走査し、前記第２組の電極を選択して、所定の有機発光素子を点灯させる制御手段を備え、該制御手段は、前記表示装置の周囲温度の変化に対して、前記有機発光素子に定電流を供給できるように、前記第２組の電極を駆動することを特徴とする。
【００１２】
請求項２に記載の発明は、請求項１に記載の表示装置において、前記周囲温度を検出する検出手段と、前記有機発光素子に定電流を供給する定電流源の電源電圧値と、前記周囲温度とを対応付けて記憶する記憶手段とを備え、前記制御手段は、前記検出手段で検出した周囲温度に応じて、前記記憶手段に格納された前記電源電圧値を読み出して、前記第２組の電極を駆動することを特徴とする。
【００１３】
請求項３に記載の発明は、請求項２に記載の前記検出手段は、前記有機発光素子が形成された基板上に配置された複数の温度検出素子と、該温度検出素子で検出された検出値の平均を算出する演算器とを含むことを特徴とする。
【００１４】
請求項４に記載の発明は、走査電極である互いに平行なｍ本の第１組の電極と、該第１組の電極と交差して配置された互いに平行なｎ本の第２組の電極と（ｍ，ｎは整数）、前記第１組の電極と前記第２組の電極との交差位置の各々に配置され、各々の電極に接続された有機発光素子とを有する表示装置の駆動方法において、前記表示装置の周囲温度を検出する検出ステップと、該検出手段で検出した周囲温度に応じて、前記有機発光素子に定電流を供給する定電流源の電源電圧値と周囲温度とを対応付けて記憶する記憶部から、前記電源電圧値を読み出す読出ステップと、前記第１組の電極を順次走査し、前記第２組の電極を選択して、前記読出ステップで読み出した前記電源電圧値により、所定の前記有機発光素子に定電流を供給して点灯させる駆動ステップとを備えたことを特徴とする。
【００１５】
【発明の実施の形態】
以下、図面を参照しながら本発明の実施形態について詳細に説明する。
【００１６】
図１は、本発明の一実施形態にかかる表示回路を示す構成図である。表示回路１０は、互いに平行な第１組の電極である複数の陽極２１と、陽極２１と互いに交差する互いに平行な第２組の電極である複数の陰極２２と、陽極２１と陰極２２との交差位置に、陽極２１と陰極２２とに挟持された発光素子とを有する表示部２０と、走査電極である陰極２２を駆動する駆動部３０と、データ電極である陽極２１を駆動する駆動部４０とを有する。
【００１７】
このような構成により、駆動部３０は、制御回路からの制御により、選択時には接地電位、非選択時には電源電位となるように陰極２２を駆動する。駆動部４０は、制御回路からの制御により、選択時には定電流源に接続され、非選択時には接地電位となるように陽極２１を制御する。
【００１８】
図２は、本発明の一実施形態にかかる表示装置を示すブロック図である。表示装置１００は、表示回路１０と制御回路５０とから構成され、汎用コンピュータ６０などからの画像信号を、表示回路１０に表示する。制御回路５０は、駆動部３０，４０を制御する制御部５１と、汎用コンピュータ６０など外部から入力された画像信号を、例えばアナログ・デジタル変換して、制御部５１に送信する変換部５２と、制御用のデータが格納された記憶手段に相当するテーブル５３とを備えている。また、周囲温度を検出するためのセンサ５４とを備えるが、詳細は後述する。
【００１９】
このような構成により、制御部５１は、デジタル変換された画像信号を入力すると、走査電極である陰極２２を順次走査し、走査電極ごとにデータ電極である陽極２１を選択して、所定の発光素子を点灯させる。このとき、制御部５１は、センサ５４により周囲温度を測定し、テーブル５３を参照して駆動部４０の電源電圧値を求め、データ電極である陽極２１を駆動する。
【００２０】
図３に、有機発光素子の降下電圧と駆動部の電源電圧との関係を示す。有機発光素子の降下電圧Ａは、低温側で高く、高温側で低い。この有機発光素子に定電流を供給することができる定電流源の降下電圧を加えた電圧値が、電源電圧値Ｂとなる。定電流源の降下電圧も温度によって変化することから、降下電圧Ａと電源電圧値Ｂとの差は、一定とは限らない。この周囲温度と電源電圧値Ｂとの対応表が制御回路５０のテーブル５３に格納されている。
【００２１】
周囲温度を検出する検出手段は、制御回路５０のセンサ５４を用いたが、例えば、表示回路１０の表示部２０に複数の温度検出素子を配置することも考えられる。複数の温度検出素子で検出された検出値を平均して、テーブル５３を参照し、駆動部４０の電源電圧値を求めることにより、より精度の高い制御を行うことができる。
【００２２】
本実施形態によれば、周囲温度の変化に対して、適切な駆動電圧を設定するので、予め駆動電圧を高く設定する必要がない。従って、定電流源における消費電流を増大することなく、表示画質を維持することができる。
【００２３】
【発明の効果】
以上説明したように、本発明によれば、表示装置の周囲温度の変化に対して、有機発光素子に定電流を供給できるように、所定の電源電圧値でデータ電極を駆動するので、周囲温度の変化に対して、適切な駆動電圧を設定し、表示画質を維持しながら消費電力を低減することが可能となる。
【図面の簡単な説明】
【図１】本発明の一実施形態にかかる表示回路を示す構成図である。
【図２】本発明の一実施形態にかかる表示装置を示すブロック図である。
【図３】有機発光素子の降下電圧と駆動部の電源電圧との関係を説明するための図である。
【符号の説明】
１０　　表示回路
２０　　表示部
２１　　陽極
２２　　陰極
３０，４０　　駆動部
５０　　制御回路
５１　　制御部
５２　　変換部
５３　　テーブル
５４　　センサ
６０　　汎用コンピュータ
１００　　表示装置
【図１】
2004102077.tif 000003
【図２】
2004102077.tif 000004
【図３】
2004102077.tif 000005